(57)【要約】      （修正有）【課題】リベット止めにより部品の組立品の作成を可能とし、当該リベットは部品を損傷する危険なくして取り外し可能な、簡単なリベットを提供する。【解決手段】縦軸１０と、第１部品２０、特に頭部５０と、第２部品３０、特に胴体部６０と、を含み、第１部品２０は、第１部品２０に機械的に応力を加えることを可能とする第１操作要素１ａを含み、第２部品２０は、第２部品２０に機械的に応力を加えることを可能とする第２操作要素１ｂを含み、第１及び第２操作要素１ａ、１ｂはそれぞれ、リベット１の第１及び第２部品２０，３０を破壊させる、特に剪断させる。【選択図】図２
2016173362.tif 000002
【特許請求の範囲】
【請求項１】
縦軸（１０）と、
第１部品（２０）、特に頭部（５０）と、
第２部品（３０）、特に胴体部（６０）と、
を含み、
前記第１部品は、前記第１部品に機械的に応力を加えることを可能とする第１操作要素（１ａ）を含み、前記第２部品は、前記第２部品に機械的に応力を加えることを可能とする第２操作要素（１ｂ）を含み、前記第１及び第２操作要素はそれぞれ、前記リベットの第１及び第２部品を破壊させる、特に剪断させる、機械的操作を前記第１及び第２部品に適用可能である、
リベット（１）、特に時計用リベット。
【請求項２】
前記第１操作要素は第１中空形状部分を含み、及びまたは前記第２操作要素は第２中空形状部分を含む、
請求項１に記載のリベット。
【請求項３】
前記第１中空形状部分及び前記第２中空形状部分は、単一の中空形状部分を形成するよう、互いに連続して配置される、
請求項２に記載のリベット。
【請求項４】
前記第１中空形状部分は非円形断面、特に多角形断面、例えば三角形断面、または実質的に多角形断面、例えば三葉形断面を有し、及びまたは前記第２中空形状部分は非円形断面、特に多角形断面、例えば三角形断面、または実質的に多角形断面、例えば三葉形断面を有する、
請求項２または３に記載のリベット。
【請求項５】
前記第１操作要素は前記縦軸に沿って方向づけされ、及びまたは前記第２操作要素は前記縦軸に沿って方向づけされる、
請求項１から４のいずれか一項に記載のリベット。
【請求項６】
前記第１及び第２操作要素は、前記縦軸の同軸上に配置される、
請求項１から５のいずれか一項に記載のリベット。
【請求項７】
前記第１（２０）及び第２（３０）部品は、前記縦軸（１０）に実質的に垂直に方向づけされ前記第１部品と第２部品との境界面に位置する、低機械強度の領域（１ｄ）、特に低機械剪断強度の領域で分離される、
請求項１から６のいずれか一項に記載のリベット。
【請求項８】
低機械強度の前記領域（１ｄ）は、溝、特に環状溝、とりわけ外部環状溝を含む、
請求項７に記載のリベット。
【請求項９】
前記溝は、前記第２部品の、特に前記胴体部の、最大直径（Ｄｍａｘ）の０．９倍未満の、または０．８５倍未満の、または０．８倍未満の、底部直径（ｄｍｉｎ）を含み、及びまたは前記溝は、前記縦軸沿いに測定される、０．０３ｍｍから０．０７ｍｍの間の、特に０．０５ｍｍの底部幅（１１ｄ）を有し、及びまたは前記溝の１つ以上の側壁（１２ｄ）は、面取り（１３ｄ）、例えば溝の底から溝の外側へ延伸する、４５°または６０°の角度（α）の面取りを有しまたは形成する、
請求項８に記載のリベット。
【請求項１０】
前記リベットは、径方向突出部（１ｆ）または支柱または偏心器または車または小歯車を含む、
請求項１から９のいずれか一項に記載のリベット。
【請求項１１】
請求項１から１０のいずれか一項に記載のリベットを含む、時計機構（１００）。
【請求項１２】
請求項１から１０のいずれか一項に記載のリベットまたは請求項１１に記載の機構を含む、時計ムーブメント（１１０）。
【請求項１３】
請求項１から１０のいずれか一項に記載のリベットまたは請求項１１に記載の機構または請求項１２に記載のムーブメントを含む、時計（１２０）、特に腕時計。
【請求項１４】
前記リベットの操作要素に適合するよう意図される形状部分（４１ａ、４１ｂ）を含む、請求項１から１０のいずれか一項に記載のリベット（１）を取り外すための工具（４ａ、４ｂ）、好ましくは雄型工具。
【請求項１５】
特に請求項１４に記載の工具を前記第１操作要素内に導入することで、前記リベットの前記第１部品を保持するステップと、
特に請求項１４に記載の工具を前記第２操作要素内に導入することで、前記リベットの前記第２部品を保持するステップと、
前記第１部品の機械的応力を前記第２部品に及ぼして、特に前記第１部品の機械的剪断応力を縦軸（１０）に対して前記第２部品に及ぼして、前記リベットの前記第１及び第２部品を破壊するステップと、
を含む、請求項１から１０のいずれか一項に記載のリベット（１）を含む組立品を取り外す方法。
【発明の詳細な説明】
【技術分野】
【０００１】
本発明は、時計用リベットに関する。本発明はまた、当該リベットを含む機構に関する。本発明はまた、当該リベットまたは当該機構を含む時計ムーブメントに関する。最後に、本発明は当該リベット、当該機構、または当該ムーブメントを含む時計、特に腕時計に関する。本発明はまた、リベットを取り外すための工具に関する。最後に、本発明はリベット止めされた組立品を取り外す方法に関する。
【０００２】
リベット組立品は、特に例えばモバイルまたはエボーシュの形状を有する少なくとも２つの時計部品の信頼性が高く耐久性を有する組立を実現するため、時計分野で通常用いられている。
【０００３】
時計リベットは、部品の形態をとり、リベットを少なくとも１つの時計部品へ固着するため、その少なくとも一部分はその端部の一方において塑性変形可能である。
【０００４】
リベットの塑性変形ステップは、従来はリベッターと呼ばれ、リベットの塑性変形可能部分の名称であるリベットシームの形状に一致するよう設計される適切な工具により、組み立てられた部品の内径に対して行われる。
【０００５】
従来技術のリベットは、例えば時計の修理ステップ中に、リベットシームを破壊することにより取り外し可能である。このステップは特に困難であり、リベット止めされた組立品に組み入れられた部品の形状的及び審美的完全性に大きな影響を与える。これは、審美的及び形状的公差に対する要求が比較的高い、高級時計の分野で大きな問題である。
【０００６】
そのため、例えば時計の修理ステップにおいて、リベットの簡単な除去を可能とし、且つリベット止めされた組立品に組み込まれた部品の形状的及び審美的完全性を維持することは、有利である。
【０００７】
リベット止めされた組立品の代替的な組立に関する解決策は存在するものの、従来の時計用リベットが与える組立品の信頼性を維持することはできない。
【０００８】
特許文献１は、例えば、それ単体で組立品の搭載と取り外しを可能とする、弾性的に変形可能なタブが設けられるスプリットピンを用いた、２つの部品の組み立てに関する方法を開示する。当該解決策は、組立品の簡単な取り外しを可能とするが、組立品の剛性は適用によっては不十分であり、このため適用によっては十分ではないと見られる可能性がある。
【０００９】
特許文献２は、組立手段が取り外し手段とは別である、２つの部品の組立に関する解決策を開示する。更に詳しくは、特許文献２は、時計のムーブメントと胴との間に堅固な組立を保証するよう、熱成形ステップにおいて変型可能なリベットを用いる、時計ムーブメントのケーシングに関する解決策を開示する。特定の実施形態において、リベットは除去可能である。このシナリオにおいて、リベットは、ブッシュが胴内の穴にねじ込まれたり外されたりすることを可能とするように、ネジ山が設けられたブッシュと一体に作成される。特定の状況下、特に小型時計が装着されているときに、とりわけ衝撃を受けた場合、リベットのブッシュがはずれ、ムーブメントと胴間のリベット止めされた組立品が劣化する恐れがある。このため、このような解決策は容認できない。
【００１０】
一般的な機械分野では、少なくとも２つの部品の簡単且つ信頼できる組立を可能とする、盲リベット（「ＰＯＰリベット」（登録商標）としても知られる）が広く知られている。こうしたリベットは、変形可能な中空合金本体と、一端が丸められた軸から作成される。このタイプのリベットは、軸を引っ張るリベットプライヤーを用いて位置決めされ、リベット継ぎ手を作成するため丸められた端部がリベットの本体内を通る。結合が実行されると、軸は破損し、リベットは当該位置に留まる。
【００１１】
例として、特許文献３及び特許文献４は、頭部に取り外し可能とする形状部分を有する、リベット形状を開示する。これは、時計機構の環境を前提とすると、時計リベットに行うことが不可能な動作を、リベットの頭部に行うことを必要とする。具体的には、時計ムーブメント環境においては、衝撃を与えたり、リベットの頭部を機械加工したり、プライヤーを用いて切断したりすることは、考えられない。このような解決策は、時計への適用には適切ではない。
【先行技術文献】
【特許文献】
【００１２】
【特許文献１】欧州特許出願公開第１３６５２９５号公報
【特許文献２】国際公開公報２０１４／１７３５８２号
【特許文献３】欧州特許出願公開第１７３４２６５号公報
【特許文献４】欧州特許出願公開第２６４４９０９号公報
【発明の概要】
【発明が解決しようとする課題】
【００１３】
本発明の目的は、上記の欠点を改善するリベットを提供し、従来技術により既知のリベットを改善することである。特に、本発明は、リベット止めにより部品の組立品の作成を可能とし、当該リベットは部品を損傷する危険なくして取り外し可能な、簡単なリベットを提案する。
【００１４】
本発明に係るリベットは、請求項１に定義される。
【００１５】
リベットの様々な実施形態は、請求項２から１０に定義される。
【００１６】
本発明に係る機構は、請求項１１に定義される。
【００１７】
本発明に係るムーブメントは、請求項１２に定義される。
【００１８】
本発明に係る時計は、請求項１３に定義される。
【００１９】
本発明に係る工具は、請求項１４に定義される。
【００２０】
本発明に係るリベット止め組立品の取り外し方法は、請求項１５に定義される。
【００２１】
図１から図８は、例として、本発明に係る時計の一実施形態および、本発明に係るリベットの一実施形態を示す。
【図面の簡単な説明】
【００２２】
【図１】図１は、一実施形態に係るリベットを含む、本発明の一実施形態に係る時計の一実施形態の概略図である。
【図２】図２は、本発明に係るリベットの一実施形態の縦軸沿いの断面図である。
【図３】図３は、本発明に係るリベットの実施形態の上面図である。
【図４】図４は、本発明に係るリベットの実施形態の底面図である。
【図５】図５は、リベットが機構内に位置される、リベットの実施形態の縦軸沿いの断面図である。
【図６】図６は、リベットが機構内に位置される、リベットの実施形態の上面図である。
【図７】図７は、リベットを破壊する方法の２つのステップ中の、リベットの実施形態の縦軸沿いの断面図である。
【図８】図８は、リベットを破壊する方法の２つのステップ中の、リベットの実施形態の縦軸沿いの断面図である。
【図９】図９は、溝の領域内のリベットの部分断面図である。
【発明を実施するための形態】
【００２３】
本発明に係る時計１２０の一実施形態を、図１を参照して以下に説明する。時計は特に小型時計であって良く、とりわけ腕時計でも良い。
【００２４】
時計は、本発明に係る時計ムーブメント１１０、特に機械的ムーブメントの一実施形態を含む。時計ムーブメントは、本発明に係る機構１００の一実施形態を含む。機構は、本発明に係る時計リベット１の一実施形態を含む。
【００２５】
リベットの一実施形態は、図２から図９を参照して詳細に説明される。
【００２６】
リベット１は、
縦軸１０と、
第１部品２０、特に頭部５０と、
第２部品３０、特に胴体部６０と、
を含み、第１部品は、第１操作要素１ａを有し、第２部品は第２操作要素１ｂを有する。
【００２７】
好ましくは、第１操作要素１ａは第１部品に機械的に応力を加えることが可能であり、第２操作要素１ｂは、第２部品に機械的に応力を加えることが可能である。
【００２８】
好ましくは、第１及び第２操作要素はそれぞれ、リベットの第１及び第２部品を破壊、特に剪断するような、即ち第１及び第２部品の間の境界線を破壊するような、機械的作用を第１及び第２部品に適用可能とする。有利には、両部品は、リベットの縦軸に垂直なまたはリベットの縦軸に実質的に垂直な、平面または表面に沿って破壊される。
【００２９】
換言すれば、第１及び第２操作要素は、リベットの両側に配置され、回転用及びまたは回転阻止用の要素を形成する。更に詳しくは、第１及び第２操作要素は、リベットの胴体部を、リベットの両端の反対方向への回転の影響で剪断することを可能にするために設けられる。リベットの胴体部を破壊するまで剪断することは、リベット止めされた組立品に関連する部品を、当初から組み立てられていた部品の形状的及び審美的一貫性を損なう危険性なくして、取り外すことを可能とする。
【００３０】
有利には、第１操作要素は第１中空形状部分１ａを含み、及びまたは第２操作要素は第２中空形状部分１ｂを含む。
【００３１】
各中空形状部分は、工具が縦軸周りを回転するよう各部品を駆動可能なように、あるいは縦軸周りのトルクを伝達可能なように、工具の雄部分と協働するよう設計された雌部分を形成する。
【００３２】
更に有利には、第１中空形状部分１ａ及び第２中空形状部分１ｂは、単一の中空形状部分１ｃを形成するよう、互いに連続して配置される。このため、第１及び第２中空形状部分は、同一の母線直線で定義することができる。特に、これら母線は、（用語の数学的意味の範囲内で）円柱の母線、すなわち表面を形成するために閉輪郭（または案内曲線）を描く動点を通過する平行な直線、であってもよい。この場合、閉輪郭は、多角形の輪郭または実質的に多角形の輪郭であることが有利である。閉輪郭は、好ましくは、非円形断面である。例えば輪郭は、楕円または実質的に楕円の輪郭、多角形または実質的に多角形の輪郭、三角形または実質的に三角形の輪郭、または三葉形の輪郭または実質的に三葉形の輪郭であってよい。このため、第１及び第２中空形状部分を簡単に作成できる。
【００３３】
母線は、好ましくは、リベットの縦軸に平行または縦軸に実質的に平行である。
【００３４】
好ましくは、第１中空形状部分は、非円形断面、特に多角形断面、例えば三角形断面、または実質的に多角形断面、例えば（図１、３、４で示すように）三葉形断面であり、及びまたは第２中空形状部分は、非円形断面、特に多角形断面、例えば三角形断面、または実質的に多角形断面、例えば（図１、３、４で示すように）三葉形断面である。
【００３５】
第１中空形状部分は好ましくは、リベットの頭部５０の領域内またはリベットの頭部５０に採用される。第２中空形状部分は好ましくは、リベットの胴体部６０の領域内またはリベットの胴体部６０に採用される。
【００３６】
上述したものの代替として、第１中空形状部分は、十字形部分またはねじ回しタイプの工具と噛み合うように設計されたスリットの形の形状部分であってもよい。
【００３７】
換言すれば、中空形状部分は、実質的に同一、または同一であることができる。好ましくは、中空形状部分は、例えばリベットを縦方向に完全に通過する貫通切り抜きにより、一体に製造される。中空形状部分は、例えば、塑性変形または機械加工により形成することができる。
【００３８】
更に好ましくは、工具の挿入を簡便にし、それによりリベットの印づけの危険を回避するため、中空形状部分のそれぞれの端部に面取りを施すことができる。
【００３９】
第１操作要素は縦軸沿いに方向づけられてよく、及びまたは第２操作要素は縦軸沿いに方向づけられてよい。
【００４０】
第１及び第２操作要素と噛み合う工具は、第１部品及びまたは第２部品を縦軸周りに回転するよう駆動することを可能とする。少なくとも、第１及び第２操作要素と噛み合う工具は、縦軸周りのトルクを伝達可能である。
【００４１】
上述の通り、第１及び第２操作要素は有利には、縦軸と同軸に配置される。
【００４２】
更に有利には、第１及び第２部品２０、３０は、低機械強度の領域１ｄ、特に縦軸１０に実質的に垂直に方向づけられた低機械強度の領域、とりわけ低機械剪断強度の領域であって、第１部品／第２部品境界面に位置する領域により分離される。
【００４３】
第１及び第２部品間の境界面は、特に低機械強度の領域は、図１から図８に示す実施形態の場合のように、頭部／胴体部境界面に位置することができる。しかしながら、代替として、第１及び第２部品間の境界面は、特に低機械強度の領域は、頭部／胴体部境界面以外の場所に位置することができる。この場合、第１部品２０は頭部５０と胴体部６０の第１部分とを含み、第２部品３０は胴体部６０の第２部分を含む。
【００４４】
低機械強度の領域１ｄは、図示の実施形態のように、第１溝、特に第１環状溝、とりわけ外部環状溝を含むことができ、及びまたは第２溝、特に第２環状溝、とりわけ内部環状溝を含むことができる。
【００４５】
外部溝は、第２部品の、特に胴体部の最大直径（Ｄｍａｘ）の０．９倍未満の、または０．８５倍未満の、または０．８倍未満の、底部直径（ｄｍｉｎ）であってもよい。
【００４６】
内部溝は、胴体部の最大直径（Ｄｍａｘ）の０．８倍より大きな、または０．８５倍より大きな、または０．９倍より大きな、底部直径であってもよい。
【００４７】
内部溝及びまたは外部溝は、例えば縦軸沿いに測定される、０．０３ｍｍから０．０７ｍｍの間の、特に０．０５ｍｍの底部幅１１ｄを有する。図９に示すように、内部溝及びまたは外部溝の１つ以上の側壁１２ｄが、溝の底から溝の外側へ延伸する、角度αの面取り１３ｄ、例えば縦軸１０に対して６０°または４５°の面取りを形成する。
【００４８】
この文書全体において、「溝」とはリベットの少なくとも一部分の断面におけるあらゆる局所的な狭化、特にリベットの胴体部の一部分の直径のあらゆる顕著な局所的な減少と理解される。
【００４９】
低機械強度の領域は、リベットを局所的に弱めるあらゆる断面の形状で形成することができる。代替的に、低機械強度の領域は、頭部／胴体部境界面に、またはリベットの胴体部の一部に設けられる、１つ以上の平坦部で形成されてもよい。
【００５０】
特に、低機械強度の領域は、第１断面、特に縦軸に垂直な平面に沿った第１断面であり、リベットの胴体部６０の第２断面、特に縦軸に垂直な平面に沿った第２断面の面積の２倍未満、または３倍未満、または４倍未満の面積の第１断面を含むことができる。
【００５１】
最後に、低機械強度の領域は、頭部／胴体部境界面に、ピットの形状をとる、リベットの胴体部の断面における非常に小さな局所的な狭化により、またはリベットの胴体部の断面に局所的な狭化なくして、形成されることができる。特に、製造方法によって、このような境界面において、素材内に応力集中領域を生成することができる。こうした領域は、低下した機械強度を有する。
【００５２】
有利には、リベットは、第１部品／第２部品境界面において、０．５ｍＮｍ未満、または０．３ｍＮｍ未満の機械剪断強度を有する。
【００５３】
本発明に係るリベットは、さまざまな時計に用いることができる。特に、リベットは、径方向突出部１ｆまたは支柱または偏心器または車または小歯車を含むことができる。このためリベットは、例えばエボーシュに付着された支柱であって、エボーシュに対して不動である支柱の形状を取ることができる。特に、当該支柱は、時計モバイルの旋回軸として作用してもよい。リベットはまた、偏心器、特にロッカなど時計要素の平面において位置を調整する偏心器として作用してもよい。リベットはまた、歯付モバイルの組立を可能にするため、一体または複数体の車または小歯車の形状でもよい。
【００５４】
本発明はまた、工具４ａ、４ｂにも関する。工具は好ましくは雄型工具であり、上述の通りリベット１を除去するためのものである。このような工具は、リベットの操作要素に適合するよう意図された、形状部分４１ａ、４１ｂを含む。
【００５５】
好ましくは、工具の頭部に、工具の操作要素への貫通を制限するために、肩部４２ａ及び４２ｂを設けてもよい。このため、各工具は有利に、第１及び第２部品に延長する操作要素に、深く挿入されることなく、第１部品または第２部品に位置することができる。代替的に、本課題を回避するために、穴１ｃに１つまたは２つの押さえを設けてもよい。
【００５６】
本発明はまた、リベット止めされた組立品、つまり上述したリベットを用いて製造した部品の組立品を除去する方法に関する。図７及び図８に図示する方法は、図７ではリベットはまだ破損しておらず、図８ではリベットが破損している。
【００５７】
本方法は、以下のステップを含む。
-  特に工具を第１操作要素内に導入することで、リベットの第１部品を把持し、
-  特に工具を第２操作要素内に導入することで、リベットの第２部品を把持し、
-  第１部品の機械的応力を第２部品に及ぼして、特に第１部品の機械的剪断応力を縦軸（１０）に対して第２部品に及ぼして、リベットの第１及び第２部品を破壊する。
【００５８】
有利には、第１機械的動作、特に縦軸周りの第１回転トルクを第１部品に及ぼし、第２機械的動作、特に縦軸周りの第２回転トルクを第２部品に及ぼす。好ましくは、第１機械的動作と第２機械的動作は反対方向である。代替的に、第１機械的動作は、図７の縦軸１０に垂直または実質的に垂直な軸周りの第１回転トルクでもよく、第２機械的動作は、図７の縦軸１０に垂直または実質的に垂直な軸周りの第２回転トルクでもよい。
【００５９】
第１機械的動作は、第１操作要素と噛み合う第１工具を用いて行われてもよく、第２機械的動作は、第２操作要素と噛み合う第２工具を用いて行われてもよい。
【００６０】
本発明の詳細において、第１ステップでは、工具４ａ、４ｂの頭部４１ａ、４１ｂは、それぞれ、リベットの中空形状部分１ａ、１ｂ内に、遊びを有して、または非常に小さな遊びを有して挿入されることが意図される。これに関して、頭部４１ａ、４１ｂは、中空形状部分１ａ、１ｂの形状と実質的に補完する形状を有する。第２ステップでは、図７に示すように、頭部４１ａは、リベットの第１部品２０を回転駆動するように、軸１０周りの２つの回転方向の一方または他方に回転するよう設定される一方、頭部４１ｂはリベットの第２部品３０の回転を阻止する。第１部品の駆動を、図７の二重矢印で示す。第２部品の不動化を、図７の濃い斜線で示す。代替的に、頭部４１ｂは、リベットの第２部品を第１部品とは反対方向に回転駆動するように、軸１０周りに回転するよう設定されてもよい。更に代替的に、頭部４１ｂは、リベットの第２部品３０を回転駆動するように、軸１０周りの２つの回転方向の一方または他方に回転するよう設定される一方、頭部４１ａはリベットの第１部品２０の回転を阻止してもよい。当該第２ステップは、図８に示すように、リベットの第１及び第２部品が、その境界面において破壊により切断されるという結果をもたらす。第１及び第２部品はその後取り去ることができ、組立品の部品を分離することができる。
【００６１】
図示した実施形態において、リベットは、時計モバイル３の軸ブレを制限するために設けられる部品の形状を取る。モバイル３を取り外すためには、リベット１を軸１０周りに回転する必要がある。リベットを回転するのに必要なトルクは、少なくとも３ｍＮｍ、または１０ｍＮｍ、または２０ｍＮｍである。リベットは、リベットと噛み合うように形成された頭部が設けられた工具により、回転駆動可能である。好ましくは、当該頭部は、工具４ａ、４ｂの頭部４１ａ、４１ｂの形状と同一または実質的に同一の形状を有する。
【００６２】
好ましくは、第１操作または駆動要素は、第１部品に、特に工具を介して、リベットの縦軸周りの少なくとも１つの第１方向の第１トルクを適用可能に設計され、第２操作または駆動要素は、第２部品に、特に工具を介して、リベットの縦軸周りの少なくとも１つの第２方向の第２トルクを適応可能に設計され、第１及び第２方向は互いに反対である。
【００６３】
有利には、各操作要素は、１つの部品に、特に工具を介して、リベットの縦軸周りの第１方向または第２方向にトルクを適用可能に設計される。このため、時計工は、取り外し作業中、リベットを破壊するのに必要な機械的トルクの適用方向を選択することができる。
【００６４】
本発明に係るリベットは、従来のリベットの全ての通常機能を保証することを可能にする。第１操作要素及びまたは第２操作要素は、リベットが位置決めされた後にリベットを回転方向づけするために用いることができる点も注記する。
【００６５】
図５及び６は、リベット１がリベットシーム１ｅを介してエボーシュ２に従来通り固着される組立品を図示する。この場合、リベット１は、時計モバイル３の軸ぶれを制限することを意図する部品の形態を取る。このため、リベットには、エボーシュの平面に実質的に平行な突出部１ｆが設けられ、この突出部１ｆは時計モバイルの表面３ｆと噛み合うことが意図される。リベットはまた、リベットを縦軸１０周りに回転させることを可能とし、突出部１ｆをモバイル３に対して移動させ、モバイル３をエボーシュ２から取り外すことを可能とするために、適切な工具で作動されることが意図される中空形状部分１ｇを含む。
【００６６】
好ましくは、リベットを回転駆動可能にするために設けられる中空形状部分１ｇの形状は、リベットを除去可能にするために設けられる中空形状部分１ａの形状と一致する。
【００６７】
上述の通り、本発明に係るリベットは、従来のリベットの認知されている組立性能を保持する一方で、リベット止めされた組立品を取り外す必要性に応じることを可能とする。本発明に係るリベットは、実施の平易性において特に有利である。この点は、リベットの２つの部品に応力を与えるための操作要素により識別されるリベットの特定の形状部分、あるいは第１及び第２部品間の境界面の低機械強度の領域において、反映されている。
【符号の説明】
【００６８】
１           リベット
１ａ       第１中空形状部分
１ｂ       第１中空形状部分
１ｃ       中空形状部分
１ｄ       低機械強度の領域
４ａ、４ｂ  工具
４１ａ、４１ｂ  頭部
１０       縦軸
２０       第１部品
３０       第２部品
５０       頭部
６０       胴体部
【図１】
2016173362.tif 000003
【図２】
2016173362.tif 000004
【図３】
2016173362.tif 000005
【図４】
2016173362.tif 000006
【図５】
2016173362.tif 000007
【図７】
2016173362.tif 000008
【図８】
2016173362.tif 000009
【図９】
2016173362.tif 000010
【図６】
2016173362.tif 000011
【外国語明細書】
2016173362000001.pdf
2016173362000002.pdf
2016173362000003.pdf
2016173362000004.pdf